(57)【要約】  【課題】冊子本体を閉じ姿勢に保持し得る構成をなすものであり、且つ、背表紙の外面側に膨らんだ部位を形成し難い構成を有した冊子を提供する。  【解決手段】冊子Ａは、表表紙ｈ１と裏表紙ｈ２との間に用紙Ｐを配してなる冊子本体Ｈと、基端部が裏表紙に取り付けられた第一、第二の保持部材１、２とを備えてなる。そして、第一、第二の保持部材１、２を係わり合わせることにより冊子本体Ｈを閉じ姿勢（Ｃ）に保持し得るように構成されている。第一の保持部材１が裏表紙ｈ２の内面側に形成された第一の凹陥部内に接着された第一の紐状部材１１を備え、第二の保持部材２が裏表紙ｈ２の内面側に形成された第二の凹陥部内に接着された第二の紐状部材２１を備えている。【選択図】図１
0003221912.tif 000002
【実用新案登録請求の範囲】
【請求項１】
矩形板状をなす表表紙と矩形板状をなす裏表紙との間に記載面を有した用紙を配してなり前記記載面を閲覧し得る開き姿勢と前記記載面を閲覧不能な閉じ姿勢とを採り得るように構成された冊子本体と、基端部が前記裏表紙に取り付けられた第一、第二の保持部材とを備えてなり、これら第一、第二の保持部材の先端部同士を前記表表紙の外面側において係わり合わせることにより前記冊子本体を前記閉じ姿勢に保持し得るように構成された冊子であって、
前記第一の保持部材が、紐状をなし基端部が前記裏表紙の内面側に形成された第一の凹陥部内に接着された第一の紐状部材と、この第一の紐状部材の先端部に取り付けられた留め部材とを備えたものであり、
前記第二の保持部材が、紐状をなし基端部が前記裏表紙の内面側に形成された第二の凹陥部内に接着されるとともに先端部が前記留め部材と係合し得るループ状をなした第二の紐状部材とを備えたものである冊子。
【請求項２】
前記第一、第二の紐状部材が、弾性伸縮可能なゴム製のものである請求項１記載の冊子。
【請求項３】
前記留め部材が、水引を編んで作られたものである請求項１又は２記載の冊子。
【考案の詳細な説明】
【技術分野】
【０００１】
本考案は、冊子に関するものである。
【背景技術】
【０００２】
従来から、御朱印帳等に用いられる種々の冊子が知られている（例えば特許文献１参照）。
【０００３】
この種の冊子には、端部に面ファスナーを配した帯状の纏めバンドや伸縮性のある環状の纏めバンド等を利用して、冊子の閉じ姿勢を保持し得るようにしたものが検討されている。
【０００４】
ところが、このようなものでは、纏めバンドが、冊子とは別個独立したものとなっているため、不使用時の管理が煩わしく紛失し易いものとなっている。
【０００５】
しかも、この種の纏めバンドは、冊子に装着された状態において、背表紙の外面側に局所的に膨らんだ部位を形成してしまう。その結果、上述したような纏めバンドを使用する場合には、閉じ姿勢の冊子が天板等の載置面上に安定して載置され難いものとなっていた。
【先行技術文献】
【特許文献】
【０００６】
【特許文献１】特許第６２９５３６８号公報
【考案の概要】
【考案が解決しようとする課題】
【０００７】
本考案は、このような課題に着目してなされたものであって、少なくとも、冊子本体を閉じ姿勢に保持し得る構成をなすものであり、且つ、背表紙の外面側に膨らんだ部位を形成し難い構成を有した冊子を提供することにある。
【課題を解決するための手段】
【０００８】
すなわち、本考案は次の構成をなしている。
【０００９】
請求項１に係る考案は、矩形板状をなす表表紙と矩形板状をなす裏表紙との間に記載面を有した用紙を配してなり前記記載面を閲覧し得る開き姿勢と前記記載面を閲覧不能な閉じ姿勢とを採り得るように構成された冊子本体と、基端部が前記裏表紙に取り付けられた第一、第二の保持部材とを備えてなり、これら第一、第二の保持部材の先端部同士を前記表表紙の外面側において係わり合わせることにより前記冊子本体を前記閉じ姿勢に保持し得るように構成された冊子であって、前記第一の保持部材が、紐状をなし基端部が前記裏表紙の内面側に形成された第一の凹陥部内に接着された第一の紐状部材と、この第一の紐状部材の先端部に取り付けられた留め部材とを備えたものであり、前記第二の保持部材が、紐状をなし基端部が前記裏表紙の内面側に形成された第二の凹陥部内に接着されるとともに先端部が前記留め部材と係合し得るループ状をなした第二の紐状部材とを備えたものである冊子である。
【００１０】
このようなものであれば、第一、第二の紐状部材が裏表紙の内面側に形成された第一、第二の凹陥部内に接着されたものとなるため、冊子本体を閉じ姿勢に保持し得る構成をなすものであり、且つ、背表紙の外面側に膨らんだ部位を形成し難い構成を有した冊子を提供することができるものとなる。
【００１１】
請求項２に係る考案は、前記第一、第二の紐状部材が、弾性伸縮可能なゴム製のものである請求項１記載の冊子である。
【００１２】
このようなものであれば、第一、第二の保持部材の先端部同士を係り合わせ易いものとなっている。
【００１３】
請求項３に係る考案は、前記留め部材が、水引を編んで作られたものである請求項１又は２記載の冊子である。
【００１４】
このようなものであれば、留め部材が、第二の保持部材を係合させ得る大きさを有するとともに外観に優れた好適な形態を製造し得るものとなっている。
【考案の効果】
【００１５】
以上説明したように本考案によれば、冊子本体を閉じ姿勢に保持し得る構成をなすものであり、且つ、背表紙の外面側に膨らんだ部位を形成し難い構成を有した冊子を提供することができるものとなる。
【図面の簡単な説明】
【００１６】
【図１】本考案の一実施形態を示す斜視図。
【図２】同実施形態における正面図。
【図３】同実施形態における背面図。
【図４】同実施形態における背表紙の内面側を説明するための正面図。
【考案を実施するための形態】
【００１７】
以下、本考案の一実施形態を、図１〜４を参照して説明する。
【００１８】
この実施形態は、本考案を冊子である御朱印帳Ａに適用したものである。御朱印帳Ａの用紙Ｐには、神社や寺院へ参拝した証として、神社名や寺院名や参拝日等が朱印や墨書き等により記される。
【００１９】
御朱印帳Ａは、正面視において縦長の矩形板状をなす表表紙ｈ１と背面視において縦長の矩形板状をなす裏表紙ｈ２との間に、記載面（図示せず）を有した用紙Ｐを配してなるものである。
【００２０】
御朱印帳Ａは、表表紙ｈ１と裏表紙ｈ２とを離間させて用紙Ｐの記載面を閲覧し得る開き姿勢（図示せず）と用紙Ｐを表表紙ｈ１及び裏表紙ｈ２との間に挟ませることにより当該用紙Ｐの記載面を閲覧不能な閉じ姿勢（Ｃ）とを採り得るように構成された冊子本体Ｈと、基端部１ｅ、２ｅが裏表紙ｈ２に取り付けられた第一、第二の保持部材１、２とを備えている。
【００２１】
御朱印帳Ａは、第一、第二の保持部材１、２の先端部１ｓ、２ｓ同士を表表紙ｈ１の外面側（前面側）において係わり合わせることにより冊子本体Ｈを閉じ姿勢（Ｃ）に保持し得るように構成されている。すなわち、御朱印帳Ａは、基端部１ｅが裏表紙ｈ２に支持された第一の保持部材１の先端部１ｓを正面視における表表紙ｈ１の右側縁部Ｒｅ側から外面側（前面側）に移動させ、基端部２ｅが裏表紙ｈ２に支持された第二の保持部材２の先端部２ｓを正面視における表表紙ｈ１の左側縁部Ｌｅ側から外面側（前面側）に移動させ、第一、第二の保持部材１、２の先端部１ｓ、２ｓ同士を表表紙ｈ１の外面側において係合させることにより、冊子本体Ｈを閉じ姿勢（Ｃ）に保持し得るものとなっている。
【００２２】
表表紙ｈ１の前面には、和服を想起させ得る絵柄が表示されている。より具体的に言えば、表表紙ｈ１における前面の上下方向中央部には、左右方向に延びた帯の絵柄Ｆ１が表示されている。
【００２３】
裏表紙ｈ２の背面（外面）には、表表紙ｈ１と前面と同様に、和服を想起させ得る絵柄が表示されている。より具体的に言えば、裏表紙ｈ２における背面（外面）の上下方向中央部には、左右方向に延びた帯の絵柄Ｆ２が表示されている。
【００２４】
用紙Ｐは、冊子本体Ｈが閉じ姿勢（Ｃ）をなすときに表表紙ｈ１と裏表紙ｈ２とによって挟まれるものである。用紙Ｐは、つづら折り構造をなした長尺なものである。換言すれば、用紙Ｐは蛇腹状をなし連続したものである。用紙Ｐは、その一端部が表表紙ｈ１の内面側に止着されており、他端部が裏表紙ｈ２の内面側に止着されている。
【００２５】
第一の保持部材１は、紐状をなし基端部１ｅが裏表紙ｈ２の内面側に形成された第一の凹陥部ｈ２１内に接着された第一の紐状部材１１と、第一の紐状部材１１の先端部１ｓに取り付けられた留め部材１２とを備えたものである。第一の紐状部材１１は、弾性伸縮可能なゴム製のものである。留め部材１２は、水引を編んで作られたものである。水引とは、紐状に作られた紙製のものである。水引を主材として作られた留め部材１２は、第二の紐状部材２１のループ状部分が引っ掛かり得る大きさに作られている。より具体的に言えば、留め部材１２は、花の形態（例えば、梅の花）を模すように編んで作られたものである。
【００２６】
第二の保持部材２は、紐状をなし基端部２ｅが裏表紙ｈ２の内面側に形成された第二の凹陥部ｈ２２内に接着されるものである。第二の保持部材２は、その先端部２ｓが第一の保持部材１に設けられた留め部材１２と係合し得るループ状をなした第二の紐状部材２１を備えている。第二の紐状部材２１は、第一の紐状部材１１と同様のものであり、弾性伸縮可能なゴム製のものである。
【００２７】
第一の凹陥部ｈ２１は、図４に示すように裏表紙ｈ２の内面における上下方向中央部の右寄りの部位に設けられている。第一の凹陥部ｈ２１は、左右方向に延びてなる溝状のものである。第二の凹陥部ｈ２２は、図４に示すように裏表紙ｈ２の内面における上下方向中央部の左寄りの部位に設けられている。第二の凹陥部ｈ２２は、左右方向に延びてなる溝状のものである。第一、第二の紐状部材１１、２１の各基端部１ｅ、２ｅは、第一、第二の凹陥部ｈ２１、ｈ２２内において接着された上で、用紙Ｐの端部により覆われたものとなっている。
【００２８】
本実施形態に係る御朱印帳Ａは、以上に述べた構成を備えたものであるため、第一、第二の保持部材１、２が表表紙ｈ１に表示された帯の絵柄Ｆ１と協働して和服に用いられる帯締めに似た外観的特性を発揮し得るものとなる。このため、御朱印帳Ａの使用者は、好適な外観的特性と相まって心地よい使用感を得られ得るものとなっている。
【００２９】
なお、本考案は、以上に詳述した実施形態に限られるものではない。
【００３０】
冊子は、上述した実施形態として述べた御朱印帳に限られるものではないのはもちろんのことである。
【００３１】
表表紙や裏表紙の外面に表示される絵柄は必ずしも和服を模したものに限られるものではなく、適宜の絵柄を採用することができるものである。
【００３２】
用紙は、つづら折り構造をなすものに限られず、矩形状をなす複数枚の用紙の一端部を綴じてなるものであってもよい。
【００３３】
第一、第二の紐状部材は、弾性伸縮可能なゴム製のものに限られるものではない。例えば、第一、第二の紐状部材の内、いずれかの一方のみをゴム製のものとすることが考えられる。
【００３４】
留め部材は、種々のものを採用し得るものであり、上述した実施形態に示されたものに限られるものではない。
【００３５】
その他、各部の具体的構成についても上記実施形態に限られるものではなく、本考案の趣旨を逸脱しない範囲で種々変形が可能である。
【符号の説明】
【００３６】
Ａ…御朱印帳（冊子）
Ｈ…冊子本体
ｈ１…表表紙
ｈ２…裏表紙
Ｐ…用紙
１…第一の保持部材
２…第二の保持部材
１１…第一の紐状部材
２１…第二の紐状部材
【図１】
0003221912.tif 000003
【図２】
0003221912.tif 000004
【図３】
0003221912.tif 000005
【図４】
0003221912.tif 000006